(57)【要約】【課題】比較的急峻な地形において、地山の掘削量の軽減を図った擁壁の構築方法を提供する。【解決手段】擁壁前面の壁面材のコンクリートパネルを垂直に連結して組立てた壁面と、前記壁面材のそれぞれのコンクリートパネル背面に結合させた鉄筋により壁面材と一体化した砕石層と、砕石層背面の盛土体と、前記砕石層と前記盛土体を支える、前記壁面材のコンクリートパネルと連結して一体化した逆台形状のコンクリート基礎と、で構成した擁壁を構築する。本発明で、基礎底盤幅を小さくしながら構造体を安定させることができる。これにより、地山の掘削量の軽減を図った擁壁の構築が出来る。【選択図】図１
2017155574.tif 000002
【特許請求の範囲】
【請求項１】
比較的急峻な地形での擁壁の構築方法において、
擁壁前面の壁面材のコンクリートパネルを垂直に連結して組立てた壁面と、前記壁面材のそれぞれのコンクリートパネル背面に結合させた鉄筋により壁面材と一体化した砕石層と、その砕石層背面の盛土体と、前記砕石層と前記盛土体を支える、前記壁面材のコンクリートパネルと連結して一体化した逆台形状のコンクリート基礎と、で構築した擁壁。
【請求項２】
前記砕石層は、前記コンクリートパネル背面と、前記砕石層と前記盛土体の境に設ける鉄筋金網とを、前記鉄筋でトラス状に結合させ、その中に砕石を充填させたことを特徴とする、請求項１に記載の擁壁。
【請求項３】
壁面が高くなる場合の擁壁の構築方法において、
請求項１に記載の擁壁の砕石層と盛土体を軽量盛土体とし、前記壁面材のコンクリートパネルを垂直に連結して組立てた壁面と、前記軽量盛土体を支える前記壁面材のコンクリートパネルと連結して一体化した逆台形状のコンクリート基礎と、前記軽量盛土体と前記逆台形状コンクリート基礎の間に設ける砕石層と、で構築する擁壁。
【発明の詳細な説明】
【技術分野】
【０００１】本発明は擁壁工法に関し、擁壁の構築方法および擁壁の構成に関するものである。
【背景技術】
【０００２】従来の技術には、図９に示す逆Ｔ擁壁工法があり、幅の広い基礎の上に垂直壁を構築し、壁の背面に盛土して、道路拡幅や敷地造成等を行っている。【０００３】図１０に示す補強土擁壁工法には、コンクリートパネル１０で垂直壁を構築し、前記コンクリートパネル１０に結合する補強材７０を、盛土体２０に水平に埋設して擁壁の変位を束縛し、傾斜地の道路拡幅や敷地造成を行っているものがある。
【発明の概要】
【発明が解決しようとする課題】
【０００４】上記の逆Ｔ擁壁は、擁壁高さに比例して基礎底盤幅を広くする必要があるため、大規模な掘削が必要で、工期も長くなり、工事に伴う通行止め等が、工事周辺の生活に与える影響は大きく、工期短縮と通行止め等の緩和が求められている。
また、上記補強土擁壁は盛土体の土圧による壁面材の変位を防ぐため、長い補強材（ストリップ材等）が基礎底盤より必要で、大規模な掘削が必要になるため、広範囲の盛土となり、比較的急峻な地形での道路拡幅工事における擁壁の構築には不向きである。
【課題を解決するための手段】
【０００５】〈１〉請求項１は、比較的急峻な地形での擁壁の構築において、擁壁前面の壁面材のコンクリートパネルを垂直に連結して組立てた壁面と、
前記壁面材のそれぞれのコンクリートパネル背面に結合させた鉄筋により壁面材と一体化した砕石層と、その砕石層背面の盛土体と、前記砕石層と前記盛土体を支える、前記壁面材のコンクリートパネルと連結して一体化した逆台形状のコンクリート基礎と、で構築された擁壁を提供するものである。
〈２〉請求項２は、請求項１に記載の擁壁の前記砕石層は、前記コンクリートパネル背面と、前記砕石層と前記盛土体の境に設ける鉄筋金網とを、前記鉄筋でトラス状に結合させ、その中に砕石を充填させて構成したことを特徴とする。
〈３〉請求項３は、壁面が高くなる場合の擁壁の構築方法において、
請求項１に記載の擁壁の砕石層と盛土体を軽量盛土体とし、前記壁面材のコンクリートパネルを垂直に連結して組立てた壁面と、前記軽量盛土体を支える、前記壁面材のコンクリートパネルと連結して一体化した逆台形状のコンクリート基礎と、前記軽量盛土体と前記逆台形状コンクリート基礎の間に設ける砕石層と、で構築する擁壁を提供するものである。
【発明の効果】
【０００６】本発明によれば、上記した課題を解決するための手段により、次のような効果の少なくとも一つを得ることができる。
〈１〉背面盛土体からの土圧に抵抗するため、構造体下部に斜面地山側にもたれ込んだ逆台形状のコンクリート基礎を設けることにより、基礎底盤幅を小さくしながら構造体を安定させることができる。
これにより、地山の掘削量の軽減を行うことができる。
〈２〉壁面材のコンクリートパネルと連結して一体化した逆台形状コンクリート基礎に、前記コンクリートパネルを垂直に連結して壁面を構築するので、施工性が良く、作業時間の縮減ができる。
〈３〉壁面材と一体化した砕石層を設けることで、盛土体の変位と土圧を緩和させることができる。
これにより、擁壁壁面の変形を防ぎ、擁壁の安定性が向上する。
【図面の簡単な説明】
【０００７】
【図１】本発明の実施形態を示す擁壁の概略図である。
【図２】実施例に係るコンクリートパネルの斜視図である。
【図３】実施例に係るコンクリートパネルの斜視図である。
【図４】実施例に係る壁面の組立状況を示す斜視図である。
【図５】実施例に係る基礎の組立構成を示す概略図である。
【図６】実施例に係る図２・図３のＡ−Ａにおける組立構成を示す概略図である。
【図７】実施例に係る図２・図３のＢ−Ｂにおける組立構成を示す概略図である。
【図８】本発明における壁面が高くなる場合の実施形態を示す擁壁の概略図である。
【図９】従来の技術である逆Ｔ擁壁工法の例を示す概略図である。
【図１０】従来の技術である補強土擁壁工法の例を示す概略図である。
【発明を実施するための形態】
【０００８】以下、図面を参照しながら本発明の実施の形態について説明する。
【実施例】
【０００９】〈基本構成〉
本発明に係る擁壁は図１に示すように、コンクリート基礎ブロック１２と、コンクリートパネル１０と、埋戻しコンクリート４０とで、構成した逆台形状のコンクリート基礎と、該コンクリートパネル１０を垂直に連結して組立てて構成した壁面と、壁面背面の砕石層２１と、該砕石層２１背面の盛土体２０とで、構成している。【００１０】〈基礎の構築〉
〈１〉擁壁の基礎は、図１に示すように、地面または斜面地山を逆台形状に掘削して整地した底面中央に、敷砕石および均しコンクリートを用いてコンクリート基礎ブロック１２を水平に設置し、該コンクリート基礎ブロック１２の上面にコンクリートパネル１０を垂直に積み上げて連結固定する。
〈２〉更に、図５に示すように、該コンクリートパネル１０にはプレート３２を取付けた転倒防止鉄筋３１ａを結合させ、該コンクリート基礎ブロック１２には、アンカー鉄筋３０を設けて、該コンクリート基礎ブロック１２と該コンクリートパネル１０のズレや転倒を防止する。
〈３〉掘削した空間および該コンクリートパネル１０と斜面地山の空間は、必ず斜面地山側に偏心する擁壁基礎となる位置まで、戻しコンクリート４０を打設して逆台形状の基礎を構築する。
また、前記埋戻しコンクリートには、ひび割れを防止するために、適切な間隔で鉄筋金網を埋設するとよい。【００１１】〈壁面の構築〉
〈１〉擁壁壁面は、図１に示すように、前記基礎上部のコンクリートパネル１０に該コンクリートパネル１０を垂直に積上げて、連結固定し、構築する。
〈２〉該コンクリートパネル１０は、図２および図３および図５に示すように、上下の連結を行うための張出支持部１１を有した構造で、前記張出支持部１１には、左右または中央に、補強のための張出支柱１３がある。
上面張出支持部１１ａには連結ナット１４ａがあり、下面張出支持部１１ｂには前記連結ナット１４ａに垂直に対向した連結ボルト挿入孔１６があり、上下の該コンクリートパネル１０を連結ボルト１５で連結固定する。
更に、該張出支持部１１の両側面には連結ナット１４ｂがあり、上下の該コンクリートパネル１０を図４に示すように、連結プレート１９ａと連結ボルト１９ｂにより、連結固定する。
更に、該コンクリートパネル１０の側面は凹側面１７と凸側面１８とになっていて、左右をかみ合わせて壁面のズレや転倒を防ぎ、曲線の壁面構築にも対応できる。
〈３〉図４には、図２の該コンクリートパネル１０を用いた場合の、壁面の構築状況を示すが、擁壁の規模や状況に応じて、図２または図３のコンクリートパネルのいずれかを用いる。【００１２】〈砕石層の構築〉
〈１〉前記擁壁壁面の背面に設ける砕石層２１は、図１に示すように、コンクリートパネル１０背面と、砕石層２１と盛土体２０の境に設ける鉄筋金網３５とを、転倒防止鉄筋３１ａおよび転倒防止鉄筋３１ｂで、トラス状に結合させて、その中に砕石５０（図６・図７）を充填して構築する。
〈２〉前記転倒防止鉄筋の結合方法は、図６に示すように、該コンクリートパネル１０背面の転倒防止鉄筋取付ナット３３（図２．図３）に、両端にネジ山のある該転倒防止鉄筋３１ａを取付け、その該転倒防止鉄筋３１ａの片方の端部にはプレート３２を取付けて、該鉄筋金網３５を押さえるように固定する。
更に、図７に示すように、該コンクリートパネル１０背面の転倒防止鉄筋取付フック３４（図２．図３）に、両端を引っ掛け固定ができるように曲げた該転倒防止鉄筋３１ｂを取付け、その該転倒防止鉄筋３１ｂの片方は、該鉄筋金網３５を押さえるように固定する。
〈３〉また図６および図７に示すように、該鉄筋金網３５の前面に吸出し防止材２３を取付けることにより、該砕石５０と該砕石層２１背面の盛土の流出を防ぎ、砕石層の拘束性が向上する。
〈４〉前記砕石層２１（図１）に充填する該砕石５０は単粒度のものを用いる方が、圧力分散と、排水の効果が大きくなる。【００１３】〈盛土体の構築〉
砕石層２１背面の盛土体２０は、図１に示すように、所定の高さまで土砂を撒き転圧された盛土層２２を、積層して構築する。【００１４】〈壁面が高くなる場合の対応〉
〈１〉壁面が高くなる場合の対応は、図８に示すように、壁面のコンクリートパネル１０の背面を軽量盛土体２５として土圧の軽減を図り、前記壁面材のコンクリートパネル１０を垂直に連結して組立てた壁面と、前記壁面の該コンクリートパネル１０と連結して一体化した逆台形状コンクリート基礎と、で構成して擁壁を構築する。
〈２〉また、前記軽量盛土体２５による擁壁の構築の場合は、図１の砕石層２１は不要で、転倒防止鉄筋３１ａにプレート３２を取付けて、該コンクリートパネル１０背面に結合させ、壁面と該軽量盛土体２５の一体化を図る。
〈３〉前記軽量盛土体２５の構築は、気泡混合軽量盛土を所定の高さまで打設した軽量盛土層２６を積層して構築する。（図８）
〈４〉前記逆台形状コンクリート基礎と前記軽量盛土体２５の間には、排水機能を有した下部砕石層５１を設ける。（図８）
なお、前記軽量盛土体２５と前記下部砕石層５１の間は、防水シートまたはコンクリートにより止水を行うとよい。
上記により、壁面が高くなる場合においても、本発明による擁壁の構築が可能である。
【符号の説明】
【００１５】１０    コンクリートパネル
１１    張出支持部
１１ａ  上面張出支持部
１１ｂ  下面張出支持部
１２    コンクリート基礎ブロック
１３    張出支柱
１４ａ  連結ナット（上下面連結）
１４ｂ  連結ナット（側面連結）
１５    連結ボルト
１６    連結ボルト挿入孔
１７    凹側面
１８    凸側面
１９ａ  連結プレート
１９ｂ  連結ボルト（側面連結）
２０    盛土体
２１    砕石層
２２    盛土層
２３    吸出し防止材
２５    軽量盛土体
２６    軽量盛土層
３０    鉄筋金網
３１ａ  転倒防止鉄筋（両端ネジ山付）
３１ｂ  転倒防止鉄筋（両端曲げ加工）
３２    プレート
３３    転倒防止鉄筋取付ナット
３４    転倒防止鉄筋取付フック
３５    アンカー鉄筋
４０    埋戻しコンクリート
５０    砕石
５１    下部砕石層
６０    逆Ｔ擁壁
７０    補強材
【図１】
2017155574.tif 000003
【図２】
2017155574.tif 000004
【図３】
2017155574.tif 000005
【図４】
2017155574.tif 000006
【図５】
2017155574.tif 000007
【図６】
2017155574.tif 000008
【図７】
2017155574.tif 000009
【図８】
2017155574.tif 000010
【図９】
2017155574.tif 000011
【図１０】
2017155574.tif 000012